(57)【特許請求の範囲】
【請求項１】
燃焼ファンの回転駆動によって供給される空気を利用して燃料を燃焼させるバーナと、該バーナの燃焼により発生した熱を利用して通水を加熱する熱交換器とを有し、上記熱交換器はメイン熱交換器と該メイン熱交換器よりも排気側に配設される潜熱回収用熱交換器とから成り、バーナ燃焼により発生した熱はメイン熱交換器で吸熱され、さらに潜熱回収用熱交換器で吸熱されることで熱効率を向上させる高効率熱交換タイプの燃焼機器であって、上記バーナに供給される風量を検出する風量検出手段と；バーナに供給する風量とバーナの燃焼熱量との関係データが予め与えられ該関係データに基づき、要求される燃焼熱量に対応した目標風量を求める目標風量検出部と；上記風量検出手段により検出される風量が上記目標風量検出部により求められた目標風量となるように燃焼ファンの回転駆動を制御するファン風量制御部と；が設けられており、さらに、前記燃焼ファンの駆動による排気の負荷抵抗変動を監視し、負荷抵抗変動量が予め定めたしきい値を越えて変動したときには、燃焼ファンの回転制御量を増加させてファン風量を瞬間的に増加させ、結露現象によって潜熱回収用熱交換器に付着した水滴を吹き飛ばす構成を備えたことを特徴とする燃焼機器。
【発明の詳細な説明】
【０００１】
【発明の属する技術分野】
本発明は給湯器等の燃焼機器に関するものである。
【０００２】
【従来の技術】
図４には本出願人等が試作検討している開発中の高効率熱交換タイプの燃焼機器の一例がモデル図により示されている。この燃焼機器（器具）は給湯器であり、同図に示すように、器具ケース１内に燃焼室２が設けられ、該燃焼室２内にはバーナ３が設けられている。
【０００３】
このバーナ３に燃料ガスを導くガス供給通路４が設けられ、該ガス供給通路４には通路の開閉を行う開閉弁５，６と、バーナ３に供給するガス量を弁開度でもって制御する比例弁７とが介設されている。燃料ガス供給源から上記ガス供給通路４を通って導かれた燃料ガスはガスノズルホルダー８を介してバーナ３に供給され、バーナ３は供給された燃料ガスを燃焼する。
【０００４】
また、バーナ燃焼に空気を供給する燃焼ファン１０が設けられ、燃焼室２の上方にはバーナ３の燃焼により発生した排気ガスを外部に排出するための排気通路１１が連通されており、上記燃焼ファン１０の駆動により空気がバーナ３に供給されると共に、排気ガスが排気通路１１を通って外部に排出される。
【０００５】
上記バーナ３の上方側には熱交換器が設けられている。この図に示す器具では、熱交換器はメイン熱交換器１２と該メイン熱交換器１２よりも排気側に設けられている（この図に示す器具では排気通路１１内に設けられている）潜熱回収用熱交換器１３とによって構成されており、メイン熱交換器１２の入り側には潜熱回収用熱交換器１３の出側が接続され、この潜熱回収用熱交換器１３の入り側には水供給源から水を導く給水通路１４が接続されている。また、上記メイン熱交換器１２の出側には給湯通路１５の一端側が接続され、この給湯通路１５の他端側は台所や洗面所のシャワー等の給湯場所に導かれている。
【０００６】
バーナ３の燃焼により発生した熱は殆どメイン熱交換器１２に吸熱され（例えば、バーナ３により発生した熱のうちの約８０％がメイン熱交換器１２で吸熱され）、さらに潜熱回収用熱交換器１３によって吸熱される構成となっており、バーナ３により発生した熱のうちの約９５％以上を熱交換器の通水に吸熱させることが可能な高効率熱交換が達成される構成を有している。
【０００７】
ところで、潜熱回収用熱交換器１３には給水通路１４から供給された水が入り込むので潜熱回収用熱交換器１３の水管表面温度は低く、このため、バーナ３の燃焼により発生した排気ガス中の水蒸気成分が結露現象により潜熱回収用熱交換器１３の水管表面に付着する。このように結露現象により潜熱回収用熱交換器１３に付着する水滴（ドレン）の量は時間の経過と共に増加していき、ドレンの表面張力よりもドレンにかかる重力が大きくなったときに、潜熱回収用熱交換器１３に付着しているドレンの殆どが潜熱回収用熱交換器１３から落下する。この落下したドレンを受けるための雨返し１６が設けられている。
【０００８】
この雨返し１６で受けられたドレンはドレン受け１７とドレン排出通路１８を順に介して外部に排出される構成となっており、雨返し１６で受けられたドレンをスムーズにドレン受け１７に導くために雨返し１６にはドレン受け１７に向かって下りの傾斜が付けられている。
【０００９】
また、潜熱回収用熱交換器１３に付着したドレンは排気ガスに晒されることから、排気ガス中のＮＯｘ等の酸性成分がドレンに含有されてドレンの酸性濃度は、例えばｐｈ２〜３という如く、非常に高くなっており、このように酸性濃度の高いドレンをその状態のまま排出するのは環境汚染の問題が発生するので、ドレンを中和するための中和処理手段２０がドレン排出通路１８に設けられており、中和処理が成されたドレンをドレン排出通路１８から外部に排出する構成となっている。
【００１０】
なお、図中に示す２１は給水通路１４の水の温度を検出する入水温センサを示し、２２は給水通路１４を流れる通水流量を検出する水量センサを示し、２３は給湯通路１５から給湯される出湯温度を検出する出湯温センサを示している。
【００１１】
この給湯器には給湯運転を制御するための制御装置２５が設けられており、該制御装置２５には台所や洗面所等に設けられたリモコン２６が信号接続されている。上記リモコン２６には給湯温度を設定するための給湯温度設定手段等が設けられている。
【００１２】
上記制御装置２５は、例えば、次のようにして給湯運転を制御する。給湯通路１５の先端側に設けられた給湯栓（図示せず）が開栓され、給水通路１４の通水を水量センサ２２が検出すると、開閉弁５，６を開弁しガス供給通路４を通してバーナ３に燃料ガスを供給すると共に、燃焼ファン１０を回転駆動させてバーナ３に空気を供給してバーナ３の燃焼を開始する。
【００１３】
そして、リモコン２６に設定されている給湯設定温度となるようにバーナ３の燃焼熱量を制御して、つまり、比例弁７の弁開度を比例弁駆動電流により制御してバーナ３への燃料ガス供給量を制御し、給水通路１４を流れてきた水を、潜熱回収用熱交換器１３とメイン熱交換器１２を順に通しバーナ３の燃焼熱によって加熱して湯を作り出し、この作り出した湯を給湯通路１５を通して所望の給湯場所に給湯する。その後、給湯栓が閉栓され給水通路１４の通水停止が水量センサ２２によって検出されると、開閉弁６を閉弁してバーナ３の燃焼を停止し、燃焼ファン１０の回転駆動を停止して、次の給湯運転に備える。
【００１４】
【発明が解決しようとする課題】
ところで、バーナ３が完全燃焼を行うための予め定まる空燃比（バーナ３に供給される燃料ガス量と空気量の比）でもってバーナ燃焼が行われることが望まれる。このことから、前記したような燃焼熱量制御が行われると共に、完全燃焼を行わせるために、燃焼熱量に適した空気をバーナ３に供給するための燃焼ファン１０の回転制御が行われる。例えば、完全燃焼を行うための燃焼熱量と燃焼ファン１０の回転数との関係データが上記空燃比に基づいて予め求め与えられており、燃焼中には、バーナ３の燃焼熱量に対応した燃焼ファン１０の回転数を上記関係データに基づき検出し、該検出した回転数となるように燃焼ファン１０の回転駆動を制御する。
【００１５】
しかしながら、図４に示すように、潜熱回収用熱交換器１３が設けられている構成の器具では、上記回転数制御により燃焼ファン１０の回転制御を行うと、バーナ３の燃焼状態が次のような理由により変動するという問題が発生する。
【００１６】
上記燃焼状態の変動の原因は、燃焼中に、潜熱回収用熱交換器１３の水管表面に付着しているドレンの量が時間の経過と共に変動することにある。図５と図６には潜熱回収用熱交換器１３の一部分が抜き出し拡大されて示されている。図５に示すように、燃焼中に、潜熱回収用熱交換器１３の水管表面に付着し始めたドレンは時間の経過と共に増加していき、図６に示すようにドレンの表面張力よりもドレンにかかる重力が大きくなると、潜熱回収用熱交換器１３の水管表面に付着していたドレンは殆ど全て落下し、その後、再び、潜熱回収用熱交換器１３の水管表面にはドレンが付着し始めるというように、潜熱回収用熱交換器１３の水管表面ではドレンの付着と落下が繰り返し行われ、潜熱回収用熱交換器１３の水管表面に付着しているドレンの量は時間の経過と共に変動する。
【００１７】
潜熱回収用熱交換器１３は排気通路１１内に配設されていることから、潜熱回収用熱交換器１３に付着しているドレンは排気の負荷抵抗（排気抵抗）となり、上記の如くドレンの量は時間の経過と共に変動するので上記排気抵抗は時間の経過と共に変動することになる。
【００１８】
このように排気抵抗が時間の経過に伴って変動するので、例えば、図５に示すように潜熱回収用熱交換器１３に付着しているドレンの量が少ないときには排気抵抗が小さく、図７に示すファン風量Ｆmでもって燃焼熱量に適した空気をバーナ３に供給することができるが、潜熱回収用熱交換器１３に付着するドレンの増加に伴って排気抵抗が増大し、一定の回転数でもって燃焼ファン１０を回転駆動させていると、図７に示すように、バーナ３に供給されるファン風量は上記燃焼熱量に適したファン風量Ｆmよりも低下する。
【００１９】
その後、潜熱回収用熱交換器１３に付着していたドレンが落下すると、排気抵抗は小さくなり、ファン風量は上記燃焼熱量に適したファン風量Ｆmに回復する。上記のように、回転数制御により燃焼ファン１０を制御すると、潜熱回収用熱交換器１３に付着するドレン量の変動に起因してファン風量が時間の経過と共に変動することから、バーナ３は完全燃焼と空気不足による不完全燃焼とを繰り返し燃焼状態は変動する。
【００２０】
このように燃焼状態が変動すると様々な問題が発生する。例えば、バーナ３は完全燃焼を安定的に行うことができず不完全燃焼を行うことから、完全燃焼が行われているときには燃焼により発生するＣＯガスは例えば７０ppmであるのに対して、不完全燃焼が行われているときには燃焼により発生するＣＯガスは例えば２０００ppmという如く、不完全燃焼時には発生するＣＯガス量が大幅に増大するという問題が生じたり、また、不完全燃焼時には異常音が発生するという問題やハイドロカーボンが発生するという問題が発生し、人体に与える悪影響が懸念される。
【００２１】
さらに、不完全燃焼時には完全燃焼時に比べて燃焼効率が低下することから、上記の如く完全燃焼と不完全燃焼を繰り返す場合には燃焼効率が変動し、このことから、図８に示すように、出湯湯温が変動し、給湯設定温度の湯を安定供給することができず、湯の利用者に湯温変動による不快感を与えるという問題が発生する。
【００２２】
また、上記の如く、完全燃焼と不完全燃焼とが繰り返されることによって、排気ガス中の酸性成分の含有率が変動することから、ドレンに含有される酸性成分量も変動してドレンの酸性濃度が変動する。このように、ドレンの酸性濃度が時間的に変動すると、前記中和処理手段２０によりドレンを安定的に中和するのが非常に困難であるという問題が生じる。
【００２３】
この発明は上記課題を解決するためになされたものであり、その目的は、潜熱回収用熱交換器に付着するドレン量の時間的な変動に拘わらず、完全燃焼状態を安定的に行うことが可能な高効率熱交換タイプの燃焼機器を提供することにある。
【００２４】
【課題を解決するための手段】
上記目的を達成するためにこの発明は次のような構成をもって前記課題を解決する手段としている。すなわち、本発明は、燃焼ファンの回転駆動によって供給される空気を利用して燃料を燃焼させるバーナと、該バーナの燃焼により発生した熱を利用して通水を加熱する熱交換器とを有し、上記熱交換器はメイン熱交換器と該メイン熱交換器よりも排気側に配設される潜熱回収用熱交換器とから成り、バーナ燃焼により発生した熱はメイン熱交換器で吸熱され、さらに潜熱回収用熱交換器で吸熱されることで熱効率を向上させる高効率熱交換タイプの燃焼機器であって、上記バーナに供給される風量を検出する風量検出手段と；バーナに供給する風量とバーナの燃焼熱量との関係データが予め与えられ該関係データに基づき、要求される燃焼熱量に対応した目標風量を求める目標風量検出部と；上記風量検出手段により検出される風量が上記目標風量検出部により求められた目標風量となるように燃焼ファンの回転駆動を制御するファン風量制御部と；が設けられており、さらに、燃焼ファンの駆動による排気の負荷抵抗変動を監視し、負荷抵抗変動量が予め定めたしきい値を越えて変動したときには、燃焼ファンの回転制御量を増加させてファン風量を瞬間的に増加させ、結露現象によって潜熱回収用熱交換器に付着した水滴を吹き飛ばす構成を備えた構成をもって前記課題を解決する手段としている。
【００２６】
上記構成の発明において、完全燃焼を行わせるための空気をバーナに供給するためのファン風量のデータを燃焼熱量に対応させて与えておき、燃焼中に、目標風量検出部は、上記データに基づき、要求される燃焼熱量に対応する目標風量を検出し、ファン風量制御部は風量検出手段により検出される風量が上記目標風量となるように燃焼ファンの回転駆動を制御する。
【００２７】
上記の如く、ファン風量に基づき燃焼ファンを駆動制御することから、潜熱回収用熱交換器に付着するドレンの量が変動しても、燃焼熱量に対応した目標風量をバーナに供給し続けることができるので、つまり、完全燃焼を行うことが可能な空気をバーナに安定して供給できるので、不完全燃焼と完全燃焼を繰り返す燃焼状態の変動を防止することができる。このように完全燃焼状態を継続できるので、燃焼状態の変動に起因した問題が回避され、前記課題が解決される。
【００２８】
【発明の実施の形態】
以下に、この発明に係る実施形態例を図面に基づき説明する。
【００２９】
本発明に係る燃焼装置の一実施形態例は図４に示すシステム構成とほぼ同様な構成を備え、図４の点線に示すように、燃焼ファン１０の回転駆動によるファン風量を検出することができる風量センサ２７（例えば、ＡＦセンサ（風速センサ））を設け、該風量センサ２７により検出されるファン風量を利用した燃焼ファン１０の回転駆動制御を行う制御構成を備えている。なお、この実施形態例の説明において、前記図４に示す給湯器と共通する部分の重複説明は省略する。
【００３０】
図１にはこの実施形態例の制御構成が示されている。この実施形態例に示す制御装置２５は、図１の実線に示すように、燃焼熱量検出部３０と、目標風量検出部３１と、データ格納部３２と、ファン風量制御部３３とを有して構成されている。
【００３１】
燃焼熱量検出部３０は、入水温センサ２１等の様々なセンサ出力や、リモコン２６に設定されている給湯設定温度の情報等を取り込んで、給湯設定温度の湯を給湯するためのバーナ３の燃焼熱量を検出する。例えば、水量センサ２２により検出される通水流量の水を入水温センサ２１により検出される入水温からリモコン２６に設定されている給湯設定温度まで高めるのに要するフィードフォワード熱量に、給湯設定温度に対する出湯温センサ２３により検出される出湯温のずれを補正するためのフィードバック熱量を考慮して、バーナ３の燃焼熱量を検出する。
【００３２】
なお、給湯設定温度の湯を給湯するためのバーナの燃焼熱量を求めるための検出手法には上記以外にも様々な手法があり、上記以外の燃焼熱量検出手法を採用してもよく、ここでは、それら検出手法の説明は省略する。
【００３３】
データ格納部３２には図２に示すような目標風量検出データが予め定め与えられている。この目標風量検出データは、完全燃焼を行わせることが可能な空気量をバーナ３に供給することができるファン風量のデータが燃焼熱量に対応させて与えられているデータであり、実験や演算等によって求められデータ格納部３２に与えられている。なお、上記目標風量検出データは、図２に示すようなグラフデータで与えてもよいし、演算式データや表データ等のデータ形式により与えてもよい。
【００３４】
燃焼熱量検出部３０は上記の如く求めた燃焼熱量の情報を目標風量検出部３１に出力し、目標風量検出部３１は上記目標風量検出部３１から加えられた燃焼熱量を上記データ格納部３２の目標風量検出データに照らし合わせ、上記検出された燃焼熱量に対応する目標風量を求める。このように、求められた目標風量の情報を目標風量検出部３１はファン風量制御部３３に出力する。
【００３５】
ファン風量制御部３３は、風量センサ２７により検出されるファン風量を時々刻々と取り込み、該検出されたファン風量が上記目標風量検出部３１から加えられた目標風量となるように燃焼ファン１０の回転駆動を制御する。例えば、風量センサ２７の検出ファン風量が目標風量よりも少ないときには、燃焼ファン１０に供給する電力を増加して（回転制御量を増加して）ファン風量を目標風量に向けて増加させ、反対に、風量センサ２７の検出ファン風量が目標風量よりも多いときには燃焼ファン１０に供給する電力を減少させて（回転制御量を減少させて）ファン風量を目標風量に向けて低下させる。
【００３６】
この実施形態例によれば、ファン風量制御により燃焼ファン１０の回転駆動制御を行うので、潜熱回収用熱交換器１３に付着するドレンの量の変動に拘わらず、完全燃焼を行うためのファン風量をバーナ３に安定供給することができ、つまり、完全燃焼を行うことができる燃焼熱量に適した空気をバーナ３に安定供給することができるので、完全燃焼を安定して行うことができる。
【００３７】
このように、完全燃焼状態を継続させることができるので、完全燃焼状態と不完全燃焼状態を繰り返す燃焼状態の変動に起因した様々な前記問題を回避することができる。つまり、不完全燃焼時に発生するＣＯガス量の増大の問題や、異常音発生の問題や、ハイドロカーボン発生の問題を防止することができる。
【００３８】
また、燃焼効率変動の問題を回避することができることから、燃焼効率変動に起因した出湯湯温変動の問題も回避することができ、このことから、給湯設定温度の湯を安定して供給することができ、湯の利用者に快適な湯の使用を提供することができる。
【００３９】
さらに、上記の如く、燃焼状態を安定させることができるので、バーナ３の燃焼により発生する排気ガス中の酸性成分の含有率がほぼ定まり、このことによって潜熱回収用熱交換器１３に付着するドレンの酸性濃度もほぼ一定となりドレンの酸性濃度を予め求めることが可能となることから、中和処理手段２０によるドレンの中和処理が容易となり、確実に中和されたドレンを外部に排出することができる。
【００４０】
さらに、この実施形態例において特徴的なことは、前記構成に加えて、燃焼ファン１０の駆動によるファン風量を瞬間的に増加させて潜熱回収用熱交換器１３に付着しているドレンを吹き飛ばす制御構成を備えたことである。
【００４１】
つまり、この実施形態例に示す制御装置２５には、前記図１の実線に示す制御構成に加えて、図１の点線に示す負荷抵抗変動監視部３４とドレン吹き飛ばし指令部３５が設けられている。
【００４２】
負荷抵抗変動監視部３４は、潜熱回収用熱交換器１３に付着するドレン量の時間的な変動に起因した排気の負荷抵抗（排気抵抗）の変動を監視する。例えば、ファン風量を一定に維持しようとする場合に、排気抵抗が大きくなるに従って燃焼ファン１０は前記ファン風量制御部３３の制御により回転数を増加する方向に制御され、排気抵抗が小さくなると燃焼ファン１０は回転数を減少する方向に制御されるというように、排気抵抗の変動と共に燃焼ファン１０の回転数が変動することから、燃焼ファン１０の回転数の変動を監視することで、排気抵抗の変動を監視することができる。
【００４３】
このことから、燃焼ファン１０の回転数を検出するファン回転数検出センサを設け、負荷抵抗変動監視部３４はそのファン回転数検出センサにより検出される燃焼ファン１０の回転数を時々刻々と取り込んで燃焼ファン１０の回転数の変動を排気抵抗の変動として監視する。
【００４４】
あるいは、ファン風量を一定に維持しようとする場合に、排気抵抗が大きくなるに従って燃焼ファン１０で消費される消費電力が増加し、排気抵抗が小さくなるに従って燃焼ファン１０の消費電力が減少するというように、排気抵抗の変動と共に燃焼ファン１０の消費電力が変動することから、燃焼ファン１０の消費電力の変動を監視することで排気抵抗の変動を監視することができる。
【００４５】
上記のことから、燃焼ファン１０で消費される電力を検出する消費電力検出手段を設け、負荷抵抗変動監視部３４は、その消費電力検出手段により検出される燃焼ファン１０の消費電力を時々刻々と取り込んで、燃焼ファン１０の消費電力の変動を排気抵抗の変動として監視するようにしてもよい。
【００４６】
ところで、図６に示すように、潜熱回収用熱交換器１３に付着しているドレンの量が非常に多くなると、ドレンによって排気通路１１が殆ど塞がれた閉塞状態となり、前記のようにファン風量制御部３３によってファン風量が目標風量となるように燃焼ファン１０の回転制御を行おうとしても、ファン風量を目標風量に増加させることができず、このため空気不足によりバーナ３の燃焼は不完全燃焼状態となってしまう虞がある。
【００４７】
この実施形態例では、上記問題を回避するために、ドレンによって排気通路１１が閉塞状態になる前に、ファン風量を瞬間的に増加させて潜熱回収用熱交換器１３に付着しているドレンを吹き飛ばす構成を備えた。
【００４８】
図３には排気抵抗の時間的な変動例が示されている。図５に示すように潜熱回収用熱交換器１３に付着しているドレンが少ないときの排気抵抗Ｒmnから、付着ドレンの増加により時間の経過と共に排気抵抗は大きくなり、潜熱回収用熱交換器１３からドレンが落下すると排気抵抗は上記排気抵抗Ｒmnまで低下する。その排気抵抗の増加変動量と、潜熱回収用熱交換器１３に付着しているドレン量との関係は予め定まり、その関係は予め実験や演算等によって求めることができることから、上記排気通路１１の閉塞状態に起因した問題を回避するための適切な予め定めた付着ドレン量に基づき、ドレンを吹き飛ばすタイミングを決定するための排気抵抗の変動量を求め、この求めた変動量（例えば、図３に示すΔＲst）はしきい値としてデータ格納部３２に格納される。
【００４９】
ドレン吹き飛ばし指令部３５は、上記負荷抵抗変動監視部３４の監視情報を時々刻々と取り込み、この監視情報に基づき、排気抵抗の変動量が上記データ格納部３２に格納されている上記しきい値ΔＲstを越えたときに、ドレン吹き飛ばし指令をファン風量制御部３３に出力する。
【００５０】
ファン風量制御部３３は上記ドレン吹き飛ばし指令を受けると、燃焼ファン１０の回転制御量を瞬間的に増加させファン風量を一時的に増加させて、潜熱回収用熱交換器１３に付着しているドレンを吹き飛ばす。もちろん、この場合には、バーナ３の燃焼火炎を吹き消すのを防止することができるファン風量でもってドレンを吹き飛ばす。
【００５１】
この実施形態例によれば、潜熱回収用熱交換器１３に付着しているドレンを吹き飛ばす構成を備えたので、ドレンによって排気通路１１が閉塞状態となる前に、潜熱回収用熱交換器１３に付着しているドレンを吹き飛ばすことができることから、排気通路１１の閉塞に起因したバーナの不完全燃焼を確実に防止することができる。
【００５２】
なお、この発明は上記実施形態例に限定されるものではなく、様々な実施の形態を採り得る。例えば、上記実施形態例は、図４に示す給湯器を例にして説明したが、燃焼ファンの回転駆動によって供給される空気を利用して燃料を燃焼させるバーナと、メイン熱交換器と該メイン熱交換器よりも排気側に設けられる潜熱回収用熱交換器とを備えた高効率熱交換タイプの燃焼機器であれば、この発明は適用することができ、給湯器以外の風呂装置や暖房器等の燃焼機器に適用してもよい。
【００５３】
また、上記実施形態例では、燃料として都市ガス等の燃料ガスを用いる給湯器を例にして説明したが、本発明は、例えば、灯油や重油等の液体燃料を用いる燃焼機器にも適用することができる。
【００５４】
さらに、上記実施形態例では、風量センサ２７として風速センサを用いたが、例えば、ダイヤフラム等を用いて検知された差圧を風量として検出する差圧センサや、風圧を利用して風量を検出する圧力センサ等を風量センサ２７として用いてもよい。
【００５５】
さらに、上記実施形態例では、図４の鎖線に示すように、風量センサ２７はバーナに供給される前の空気を分流させて取り込む空気分流通路に介設されていたが、例えば、メイン熱交換器１２に供給される風量を検出するように設けてもよいし（例えば、メイン熱交換器１２よりもバーナ側の燃焼室と排気側の燃焼室とを結ぶバイパス通路を設け、該バイパス通路に風量センサを介設してもよいし）、潜熱回収用熱交換器１３に供給される風量を検出するように設けてもよく、風量センサ２７はバーナ３よりも排気側の風量を検出できる位置に設けてもよく、バーナ３よりも排気側の風量をバーナ１に供給される風量として検出するようにしてもよい。
【００５６】
さらに、上記実施形態例では、燃焼ファン１０の回転制御量を制御することでファン風量を制御していたが、ファン風量を制御するための風量ダンパー等を設け、該風量ダンパー等を制御することでファン風量を制御してもよい。
【００５７】
【発明の効果】
この発明によれば、バーナに供給される風量検出手段を設け、該風量検出手段により検出される風量が、要求される燃焼熱量に対応した目標風量となるようにファン風量を制御する構成を備えたので、結露現象により潜熱回収用熱交換器に付着した水滴（ドレン）量の変動に起因した排気抵抗の変動に拘わらず、燃焼熱量に適したファン風量を安定的にバーナに供給することができることから、バーナの完全燃焼を安定して行わせることができる。
【００５８】
このように、完全燃焼状態を安定して行うことができることから、完全燃焼と不完全燃焼を繰り返す燃焼状態の変動に起因した様々な問題を回避することができる。つまり、燃焼状態が不完全燃焼になることによりＣＯガスの発生量が増加して人体に与える悪影響が懸念されるという問題や、異常音が発生するという問題や、ハイドロカーボンが発生するという問題が発生するのを確実に回避することができる。
【００５９】
また、完全燃焼状態が安定して行われるので、排気ガス中のＮＯｘ等の酸性成分の含有率がほぼ一定に定まることから、潜熱回収用熱交換器に付着するドレンの酸性濃度がほぼ一定となり、このことにより、ドレンの中和処理が容易となり、確実に中和されたドレンを外部に排出することができ、環境汚染の問題発生を防止することができる。
【００６０】
さらに、この発明によれば、燃焼ファンの駆動によるファン風量を瞬間的に増加させ潜熱回収用熱交換器に付着した水滴（ドレン）を吹き飛ばす構成を備えているので、ドレンに起因した排気閉塞状態になる前に潜熱回収用熱交換器に付着したドレンを吹き飛ばすことができることから、排気閉塞状態に起因した問題を回避することができる。
【図面の簡単な説明】
【図1】  この発明に係る一実施形態例において特徴的な制御構成を示すブロック図である。
【図２】バーナに供給する風量とバーナの燃焼熱量の関係データの一例を示すグラフである。
【図３】潜熱回収用熱交換器に付着するドレン量の時間的な変動に起因した排気の負荷抵抗の時間的な変動を示すタイムチャートである。
【図４】高効率熱交換タイプの燃焼機器の一例を示すモデル図である。
【図５】潜熱回収用熱交換器の水管表面上の水滴（ドレン）付着形態例を示すモデル図である。
【図６】排気閉塞状態となるときの潜熱回収用熱交換器の水滴付着形態例を示すモデル図である。
【図７】一定の回転数で燃焼ファンが回転駆動している場合に、潜熱回収用熱交換器に付着するドレン量の時間的な変動に起因したファン風量の時間的な変動を示すタイムチャートである。
【図８】潜熱回収用熱交換器に付着するドレン量の時間的な変動に起因した出湯湯温の変動例を示すタイムチャートである。
【符号の説明】
３  バーナ
１０  燃焼ファン
１２  メイン熱交換器
１３  潜熱回収用熱交換器
２７  風量センサ
３１  目標風量検出部
３３  ファン風量制御部
【図１】
0003763953.tif 000002
【図２】
0003763953.tif 000003
【図３】
0003763953.tif 000004
【図４】
0003763953.tif 000005
【図５】
0003763953.tif 000006
【図６】
0003763953.tif 000007
【図７】
0003763953.tif 000008
【図８】
0003763953.tif 000009